(57)【要約】      （修正有）【課題】印刷などの模様を施すのにセンターシール部が邪魔にならない包装体の提供。【解決手段】被包装物２と該被包装物を包装用フィルムでピロー包装した包装部３とを有する包装体１であって、包装部は、包装用フィルムの幅方向両端部を被包装物の長さ方向に沿うように重合してシールしたセンターシール部９を有し、センターシール部は、被包装物の幅方向中央に対して幅方向一方にずれて配置され、且つセンターシール部の先端１３が、基端１２に対して幅方向一方になるよう倒して構成されている。【選択図】図１
0003234518.tif 000002
【実用新案登録請求の範囲】
【請求項１】
被包装物と該被包装物を包装用フィルムでピロー包装した包装部とを有する包装体であって、
前記包装部は、包装用フィルムの幅方向両端部を被包装物の長さ方向に沿うように重合してシールしたセンターシール部を有し、
前記センターシール部は、前記被包装物の幅方向中央に対して幅方向一方にずれて配置され、且つ前記センターシール部の先端が、基端に対して前記幅方向一方になるよう倒して構成されていることを特徴とする包装体。
【請求項２】
前記被包装物は、上面および下面を平面状とするブロック状であり、前記センターシール部は、前記被包装物の前記上面または前記下面に対応する前記包装部に配置された請求項１に記載の包装体。
【請求項３】
前記被包装物は、前記下面の幅方向一方側に長さ方向に沿う角部を有し、
前記センターシール部の前記先端は、前記角部の近傍に位置するよう前記包装部に備えられている請求項２に記載の包装体。
【考案の詳細な説明】
【技術分野】
【０００１】
本考案は、包装体に関する。
【背景技術】
【０００２】
特許文献１には、センターシール装置及びピロー包装機が記載されている。センターシール装置はピロー包装機に用いられ、筒状に形成されたフィルムの両側端縁部を重合した部位をシールしてセンターシール部を形成するセンターシール装置であって、フィルムの両側端縁部を加熱するシーラと、シーラの前後の少なくとも一方に配置され両側端縁部を挟んでフィルムを前後方向に移送させるピンチローラとを有し、シーラとピンチローラを備えたユニットを、フィルムの搬送方向と直交方向に移動させる移動機構を備えている。
【０００３】
特許文献１では、センターシール装置をフィルムの搬送方向と直交する方向に沿って移動可能としたことにより、センターシール部の形成位置を幅方向中心からずらすことができる。
【先行技術文献】
【特許文献】
【０００４】
【特許文献１】特開２０１４−５０３５号公報
【考案の概要】
【考案が解決しようとする課題】
【０００５】
特許文献１では、センターシール部をずらす場合は、センターシール部の先端は、被包装物の幅方向における中心側であるセンター側に位置させるよう形成されている（特許文献１の図３、図４参照）。
【０００６】
ところで、フィルムには、被包装物に対する情報を記した印刷などの模様が施される。このような場合、センターシール部の先端を、被包装物の幅方向におけるセンター側に位置させるよう形成されていると、印刷を施すのに邪魔になる。
【０００７】
そこで本考案は、印刷などの模様を施すのにセンターシール部が邪魔にならない包装体の提供を目的とする。
【課題を解決するための手段】
【０００８】
本考案は、被包装物と該被包装物を包装用フィルムでピロー包装した包装部とを有する包装体であって、前記包装部は、包装用フィルムの幅方向両端部を被包装物の長さ方向に沿うように重合してシールしたセンターシール部を有し、前記センターシール部は、前記被包装物の幅方向中央に対して幅方向一方にずれて配置され、且つ前記センターシール部の先端が、基端に対して前記幅方向一方になるよう倒して構成されていることを特徴としている。
【０００９】
上記構成の包装体によれば、センターシール部は、被包装物の幅方向中央に対して幅方向一方にずれて配置され、且つ重合部位の基端に対する先端が幅方向一方になるよう倒して配置されているから、包装体の表面に模様を施す場合に、センターシール部よりも幅方向他方側の面積が確保された形態となり、したがって、センターシール部の存在が邪魔にならない。
【００１０】
本考案の前記被包装物は、上面および下面を平面状とするブロック状であり、前記センターシール部は、前記被包装物の前記上面または前記下面に対応する前記包装部に配置された構成を採用できる。
【００１１】
上記構成の包装体によれば、センターシール部は、ブロック状の被包装物における平面状の上面または下面に対応する包装部に配置して形成されているので、該上面または下面に模様を施す場合に邪魔にならない。
【００１２】
本考案の前記被包装物は、前記下面の幅方向一方側に長さ方向に沿う角部を有し、前記センターシール部の前記先端は、前記角部の近傍に位置するよう前記包装部に備えられた構成を採用できる。
【００１３】
上記構成の包装体によれば、センターシール部の先端を角部の近傍に位置させることで、センターシール部を幅方向一方側に極力寄せて、他方側を広くすることができるので、センターシール部が模様の邪魔にならない。
【考案の効果】
【００１４】
本考案の包装体によれば、センターシール部が、被包装物の幅方向中央に対して幅方向一方にずれて配置され、且つセンターシール部の先端が基端に対して幅方向一方になるよう倒して構成されているから、包装体の表面または被包装物に模様を施す場合に、センターシール部の存在が邪魔にならない。
【図面の簡単な説明】
【００１５】
【図１】本考案の一実施形態に係る包装体の正面図である。
【図２】同被包装物の底面からの底面図である。
【図３】同中央断面図である。
【図４】同側面図である。
【考案を実施するための形態】
【００１６】
以下、本考案の一実施形態に係る包装体を、図１ないし図４を参照して説明する。図１に示すように、包装体１は、被包装物２と、被包装物２をピロー包装する包装部３とを備えている。なお、以下の実施形態では、図２に示すように、被包装物２の長さ方向に水平面内で直交する方向を幅方向とする。
【００１７】
被包装物２として、乾麺（この場合、直方体のラーメン等）や、複数のティシュを箱詰めした直方体状のティシュケース等であり、本実施形態では、ティシュケースを例に挙げる。すなわち、被包装物２は、その上面４および下面５を平面状とするブロック状である。被包装物２は、下面５の幅方向一方側に長さ方向に沿う角部６を有している。
【００１８】
包装部３は包装用フィルムから構成され、被包装物２を実質的に包む包装部本体７と、被包装物２の長さ方向の両端に幅方向に沿って形成されたエンドシール部８（横シール部）と、被包装物２の下面５に対し長さ方向に沿って形成されたセンターシール部９（縦シール部とも、背シール部とも称す）とを備える。また、センターシール部９は、両エンドシール部８間に亘って形成されている。
【００１９】
一般的に、被包装物２を包装部３でピロー包装移動する際には、製袋器と、センターシール装置と、エンドシール装置とを有する包装装置（図示せず）が用いられる。包装装置では、製袋部により、被包装物２を包装部３となる包装用フィルムで包み、また、製袋部により包装用フィルムの両側端縁部を合掌させて重合部位１０を形成し、重合部位１０をセンターシール装置でシールして、長さ方向に沿って直線長の帯状に形成されたセンターシール部９を形成する。また、製袋部の下流側に配置されたエンドシール装置により、センターシール部９が形成された包装用フィルムに対しエンドシール部８を形成する。これにより、被包装物２を包装部３でピロー包装した状態、すなわち、被包装物２を包装部３で囲んだ包装体１が形成される。
【００２０】
ところで、本実施形態の包装体１は、包装部本体７にセンターシール部９が形成され、図３に示すように、センターシール部９は、被包装物２を実質的に包んでいる包装部本体７に連なる基端１２と、基端１２に一体的に形成された先端１３とを備える。本実施形態では、長さ方向に沿った直線状の帯状に形成されたセンターシール部９の帯幅方向の一方端部が基端１２であり、他方端部が先端１３となる。
【００２１】
そして、センターシール部９は、被包装物２の幅方向の中央であるセンターＣに対して位置ずれして配置されている。センターシール部９の位置ずれは、幅方向の左右何れでもよく、何れの場合でも、基端１２が被包装物２の幅方向に対して位置ずれされている。
【００２２】
図３に示すように、センターシール部９の基端１２が、被包装物２の幅方向のセンターＣよりも一方側に配置される場合では、先端１３は、基端１２よりも幅方向一方側になる。具体的には、センターシール部９は、センターＣよりも幅方向一方側において、先端１３が基端１２よりも幅方向一方側になるように、センターシール部９の帯幅方向を、幅方向に沿うように倒した姿勢に構成される。しかも先端１３は、被包装物２の幅方向一方側の角部６の近傍に位置するよう配置されている。
【００２３】
なお、本考案における近傍とは、先端１３が角部６に一致する場合と、角部６に対して幅方向でわずかにずれた場合とを含む概念であり、本実施形態では、先端１３は、角部６に対して基端１２寄りにわずかに（例えば、数ｍｍ）ずれた状態である。
【００２４】
上記構成の包装体１によれば、被包装物２と被包装物２を包装用フィルムでピロー包装した包装部３とを有する包装体１である。そして、包装部３は、包装用フィルムの幅方向両端部を被包装物２の長さ方向に沿うように重合してシールしたセンターシール部９を有し、センターシール部９は、被包装物２の幅方向中央に対して幅方向一方にずれて配置され、且つセンターシール部９の先端１３が、基端１２に対して幅方向一方になるよう倒して構成されている。
【００２５】
上記構成の包装体１によれば、センターシール部９は、被包装物２の幅方向中央に対して幅方向一方にずれて配置され、且つセンターシール部９の基端１２に対する先端１３が幅方向一方になるよう倒して配置されている。このため、包装体１の表面に模様を施す場合に、センターシール部９よりも幅方向他方側の面積が確保された形態となり、したがって、センターシール部９の存在が邪魔にならない。
【００２６】
また、被包装物２は、上面４および下面５を平面状とするブロック状である。そして、センターシール部９は、被包装物２の上面４または下面５に対応する包装部３に配置された構成である。この包装体１によれば、センターシール部９は、被包装物２における上面４または下面５の対応する位置に配置されているので、上面４または下面５に模様を施す場合に邪魔にならない。
【００２７】
また、被包装物２は、下面５の幅方向一方側に長さ方向に沿う角部６を有し、センターシール部９の先端１３は角部６の近傍に位置するよう、包装部３に備えられている。この包装体１によれば、センターシール部９の先端１３を角部６の近傍に位置させることで、センターシール部９を幅方向一方側に極力寄せて、他方側を広くすることができるので、センターシール部９の存在が模様の邪魔にならない。
【００２８】
本考案は、上記実施形態に限定されず、本考案の主旨を逸脱しない範囲で種々変形が可能である。その他、各部の具体的構成についても上記実施形態に限られるものではない。
【００２９】
例えば、上記実施形態の包装体１によれば、センターシール部９の先端１３を被包装物２の角部６の近傍に配置する例として、角部６よりも基端１２寄りに設ける場合について説明した。しかしながら、先端１３を配置する場所として、角部６と一致するようにしたり、角部６よりもさらに幅方向一方側へ配置したりすることもできる。
【００３０】
また、上記実施形態では、包装部本体７において、センターシール部９は包装部３の下面５に対応する箇所に形成された例を挙げた。しかしながら、センターシール部９は、包装部３の上面４に対応する箇所に形成することもできる。
【００３１】
上記実施形態の包装体１は、被包装物２としてティッシュケースの例を挙げた。しかしながら、被包装物２としては、前述のように乾麺、あるいは、筐体を形成する物品であってもよい。
【００３２】
また、上記実施形態では、包装用フィルムを用いたピロー包装の例を挙げたが、シュリンクフィルムを用いて包装する形態のピロー包装であってもよい。この場合では、前記エンドシール装置の下流側に配置されたシュリンクトンネルの熱によって、包装部３全体が、被包装物２の形状に沿って収縮（シュリンク）される。これにより、被包装物２を包装部３で囲んだシュリンク包装した包装体１が形成される。
【００３３】
上記実施形態では、包装部３に印刷などの模様を施す場合について説明したが、包装部３を無色透明とし、被包装物２の表面の模様を見えるようにした場合であってもよい。なお、模様としては、印刷に限らず、柄や文字が記載されたシールを添付こともできる。
【符号の説明】
【００３４】
１…包装体、２…被包装物、３…包装部、４…上面、５…下面、６…角部、７…包装部本体、８…エンドシール部、９…センターシール部、１０…重合部位、１２…基端、１３…先端、１４…印刷、Ｃ…センター
【図１】
0003234518.tif 000003
【図２】
0003234518.tif 000004
【図３】
0003234518.tif 000005
【図４】
0003234518.tif 000006